【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  医療用デバイスであって：
近位ハンドル；
シースであって、該ハンドルから遠位に伸長しており、そしてそれを通じて該シースの遠位端から該シースの近位端へと伸長している管腔を備える、シース；および
少なくとも２つの対向したループであって、該ループは、該ループが該シースの該管空内で折り畳まれた、折り畳み位置、および、該ループが該シースの遠位端かつ該管腔の外から伸長する、他方の位置を有し、該ループは基部においては連結されており、それらの遠位端においては互いにつながっておらず、該ループは開位置と閉位置との間で移動可能であり、ここで該閉位置にあるときには、該開位置にあるときよりも、該ループがその遠位端において互いにより接近しており、これによって物質を捕捉および解放し得、該ループの少なくとも１つが、該ループの他の少なくとも１つと比べて該基部からその遠位端まで異なる長さを有する、ループ、
を有する、デバイス。
【請求項２】  医療用デバイスであって：
近位ハンドル；
シースであって、該ハンドルから遠位に伸長しており、そしてそれを通じて該シースの遠位端から該シースの近位端へと伸長している管腔を備える、シース；および
少なくとも２つの対向したループであって、該ループは、該ループが該シースの該管空内で折り畳まれた、折り畳み位置、および、該ループが該シースの遠位端かつ該管腔の外から伸長する、他方の位置を有し、該ループは基部においては連結されており、それらの遠位端においては互いにつながっておらず、該ループは開位置と閉位置との間で移動可能であり、ここで該閉位置にあるときには、該開位置にあるときよりも、該ループがその遠位端において互いにより接近しており、これによって物質を捕捉および解放し得、該ループの少なくとも１つが、該ループの他の少なくとも１つと比べて該基部からその遠位端まで異なる長さを有し、該ループが、該ループを該折り畳み位置と該他方の位置との間で転移することによって、該閉位置と該開位置との間で移動する、ループ、
を有する、デバイス。
【請求項３】  医療用デバイスであって：
近位ハンドル；
シースであって、該ハンドルから遠位に伸長しており、そしてそれを通じて該シースの遠位端から該シースの近位端へと伸長している管腔を備える、シース；
少なくとも２つの対向したループであって、該ループは、該ループが該シースの該管空内で折り畳まれた、折り畳み位置、および、該ループが該シースの遠位端かつ該管腔の外から伸長する、他方の位置を有し、該ループは基部においては連結されており、それらの遠位端においては互いにつながっておらず、該ループは開位置と閉位置との間で移動可能であり、ここで該閉位置にあるときには、該開位置にあるときよりも、該ループがその遠位端において互いにより接近しており、これによって物質を捕捉および解放し得る、ループ；
該シースの該管腔内に配置される細長部材；および
少なくとも１つのループおよび該細長部材に作動可能に取り付けられる少なくとも１つのワイヤであって、該閉位置と開位置との間の該ループの動きが、該細長部材の動きによって達成される、ワイヤ
を有する、デバイス。
【請求項４】  医療用デバイスであって：
近位ハンドル；
シースであって、該ハンドルから遠位に伸長しており、そしてそれを通じて該シースの遠位端から該シースの近位端へと伸長している管腔を備える、シース；
少なくとも２つの対向したループであって、該ループは、該ループが該シースの該管空内で折り畳まれた、折り畳み位置、および、該ループが該シースの遠位端かつ該管腔の外から伸長する、他方の位置を有し、該ループは基部においては連結されており、それらの遠位端においては互いにつながっておらず、該ループは開位置と閉位置との間で移動可能であり、ここで該閉位置にあるときには、該開位置にあるときよりも、該ループがその遠位端において互いにより接近しており、これによって物質を捕捉および解放し得る、ループ；および
該物質を切断または移動するための機構であって、該機構が、該シース管腔から配置されている、機構
を有する、デバイス。
【請求項５】  医療用デバイスであって：
近位ハンドル；
シースであって、該ハンドルから遠位に伸長しており、そしてそれを通じて該シースの遠位端から該シースの近位端へと伸長している管腔を備える、シース；
少なくとも２つの対向したループであって、該ループは、該ループが該シースの該管空内で折り畳まれた、折り畳み位置、および、該ループが該シースの遠位端かつ該管腔の外から伸長する、他方の位置を有し、該ループは基部においては連結されており、それらの遠位端においては互いにつながっておらず、該ループは開位置と閉位置との間で移動可能であり、ここで該閉位置にあるときには、該開位置にあるときよりも、該ループがその遠位端において互いにより接近しており、これによって物質を捕捉および解放し得る、ループ；および
該ループの少なくとも１つによって取り囲まれた膜
を有する、デバイス。
【請求項６】  医療用デバイスであって：
近位ハンドル；
シースであって、該ハンドルから遠位に伸長しており、そしてそれを通じて該シースの遠位端から該シースの近位端へと伸長している管腔を備える、シース；
少なくとも２つの対向したループであって、該ループは、該ループが該シースの該管空内で折り畳まれた、折り畳み位置、および、該ループが該シースの遠位端かつ該管腔の外から伸長する、他方の位置を有し、該ループは基部においては連結されており、それらの遠位端においては互いにつながっておらず、該ループは開位置と閉位置との間で移動可能であり、ここで該閉位置にあるときには、該開位置にあるときよりも、該ループがその遠位端において互いにより接近しており、これによって物質を捕捉および解放し得、該ループの少なくとも１つが切断表面を有する、ループ
を有する、デバイス。
【請求項７】  前記シースが前記ループに対して移動する、請求項１〜６のいずれかに記載のデバイス。
【請求項８】  前記ハンドルから前記シースの前記管腔を通じて伸長し、そして前記ループに連結する、少なくとも１つの細長部材をさらに有する、請求項１〜６のいずれかに記載のデバイス。
【請求項９】  前記ループの各々が、内部表面および外部表面を有する、請求項１〜３のいずれかに記載のデバイス。
【請求項１０】  前記ループの少なくとも１つの、前記内部表面の少なくとも一部が、凹状の面を有する、請求項９に記載のデバイス。
【請求項１１】  前記ループの少なくとも１つの、前記内部表面の少なくとも一部が、粗い面を有する、請求項９に記載のデバイス。
【請求項１２】  前記粗い内部表面が鋸歯状の面を有する、請求項１１に記載のデバイス。
【請求項１３】  前記粗い内部表面がエッチングされた面を有する、請求項１１に記載のデバイス。
【請求項１４】  前記粗い内部表面が歯のついた面を有する、請求項１１に記載のデバイス。
【請求項１５】  前記ループが平坦なワイヤを有する、請求項１〜５のいずれかに記載のデバイス。
【請求項１６】  前記ループの各々の内部に配置された網または膜をさらに有する、請求項１〜３のいずれかに記載のデバイス。
【請求項１７】  前記ループが単一片の材料から形成される、請求項１〜４のいずれかに記載のデバイス。
【請求項１８】  前記ループがステンレス鋼を含む、請求項１〜４のいずれかに記載のデバイス。
【請求項１９】  前記ループが形状記憶材料を含む、請求項１〜４のいずれかに記載のデバイス。
【請求項２０】  １つまたはそれ以上の支持部材をさらに有し、これが前記ループの間に配置されており、構造的支持を提供する、請求項１〜３のいずれかに記載のデバイス。
【請求項２１】  前記物質を切断または移動する機構が、前記シース管腔内に配置されている、請求項１〜３のいずれかに記載のデバイス。
【請求項２２】  前記ループが、組織を切除するためのエネルギーを送達するために、電圧が印加される、請求項１〜３のいずれかに記載のデバイス。
【請求項２３】  前記ループの閉位置への動きが、前記細長部材の遠位方向への軸の動きによって達成される、請求項３に記載のデバイス。
【請求項２４】  前記ループの閉位置への動きが、前記細長部材の近位方向への軸の動きによって達成される、請求項３に記載のデバイス。
【請求項２５】  前記機構が、砕石器を備える、請求項４に記載のデバイス。
【請求項２６】  前記砕石器が、レーザーを利用する、請求項２５に記載のデバイス。
【請求項２７】  前記機構が、ラムロッドを備える、請求項４に記載のデバイス。
【請求項２８】  前記ループの少なくとも一部が、すべり止め物質によって被覆されている、請求項４〜６のいずれかに記載のデバイス。
【請求項２９】  前記ループの少なくとも一部が、粗くされている、請求項４〜６のいずれかに記載のデバイス。
【請求項３０】  前記ループの間に配置される１つまたはそれ以上の支持部材をさらに有する、請求項４〜６のいずれかに記載のデバイス。
【請求項３１】  前記ループの少なくとも一部が、組織を切除するために電圧が印加される、請求項４に記載のデバイス。
【請求項３２】  前記ループの少なくとも１つが、切断表面を有する、請求項４に記載のデバイス。
【請求項３３】  前記シースの前記管腔内に配置される細長部材、ならびに少なくとも１つのループおよび該細長部材に作動可能に取り付けられる少なくとも１つのワイヤをさらに有し、該ループの前記閉位置と開位置との間の動きが、該細長部材の動きを通して達成される、請求項４または６に記載のデバイス。
【請求項３４】  前記ループの各々が、内部表面および外部表面を有し、該ループの少なくとも１つの、該内部表面の少なくとも一部が、凹状の面を有する、請求項４に記載のデバイス。
【請求項３５】  前記ループが平坦なワイヤを有する、請求項４に記載のデバイス。
【請求項３６】  前記ループの少なくとも１つによって取り囲まれる網または膜をさらに有する、請求項４に記載のデバイス。
【請求項３７】  前記膜が、網を含む、請求項５に記載のデバイス。
【請求項３８】  前記膜が、織られた材料を含む、請求項５に記載のデバイス。
【請求項３９】  各々が異なるループによって取り囲まれる膜をさらに有する、請求項５に記載のデバイス。
【請求項４０】  少なくとも２つの膜が、各々２つの対向するループによって取り囲まれている、請求項３９に記載のデバイス。
【請求項４１】  前記膜が、凹面を形成する請求項５に記載のデバイス。
【請求項４２】  前記物質を切断または移動するための機構をさらに有し、該機構が、前記シース管腔から配置されている、請求項５に記載のデバイス。
【請求項４３】  前記機構が、レーザー砕石器を備える、請求項４２に記載のデバイス。
【請求項４４】  前記ループの少なくとも一部分が、生物学的組織を切除するために電圧を印加される、請求項５に記載のデバイス。
【請求項４５】  前記ループの少なくとも１つが、切断表面を有する、請求項５に記載のデバイス。
【請求項４６】  前記シースの管腔内に滑るように移動可能な細長部材、ならびに少なくとも１つのループおよび該細長部材に作動可能に取り付けられる少なくとも１つのワイヤをさらに有し、ここで、該細長部材の動きが、該ループを前記閉位置と前記開位置との間で転移させる、請求項５に記載のデバイス。
【請求項４７】  前記ループの少なくとも１つが、ステンレス鋼を含む、請求項５に記載のデバイス。
【請求項４８】  前記ループの少なくとも１つが、形状記憶材料を含む、請求項５に記載のデバイス。
【請求項４９】  前記切断表面が、電圧を印加可能な表面を含む、請求項６に記載のデバイス。
【請求項５０】  前記電圧を印加可能な表面が、ＲＦエネルギーによって電圧が印加される、請求項４９に記載のデバイス。
【請求項５１】  前記切断表面が、前記ループの前記遠位端の少なくとも一部を含む、請求項６に記載のデバイス。
【請求項５２】  医療用の回収デバイスの遠位端を製造する方法であって：
平坦な、実質的に楕円形のテンプレートを、単一片の構成材料から取り去る工程であって、該テンプレートは対称的であり、そして第一端部および第二端部を有し、該第一端部および該第二端部は、対向して配置される、工程；
該テンプレートの第一端部および第二端部が一緒になって、対向するループを形成するように、該テンプレートを折りたたむ工程；および
該テンプレートの該２つの端部を一緒に固定して、該医療用の回収デバイスの遠位端を形成する工程、
を包含する、方法。
【請求項５３】  医療用の回収デバイスの遠位端を製造する方法であって：
平坦なテンプレートを単一片の構成材料から取り去る工程であって、該テンプレートは対称的であり、２つの端部を有する、工程；
該テンプレートの該２つの端部が重なって、対向するループを形成するように、該テンプレートを折りたたむ工程；および
該テンプレートの重なった端部を一緒に固定して、該医療用回収デバイスの遠位端を形成する工程、
を包含する、方法。
【請求項５４】  すべり止め材料を、前記テンプレートの少なくとも一方の表面に塗布する工程をさらに包含する、請求項５３に記載の方法。
【請求項５５】  前記テンプレートの少なくとも一方の表面を粗くする工程をさらに包含する、請求項５４に記載の方法。